(57)【特許請求の範囲】
【請求項１】
配電線遮断器から導出された配電線を複数の無電圧開放形開閉器により、複数区間に区分し、各開閉器を電源側から順送投入するようにした配電系統の配電系統監視制御システムにおいて、
開閉器の入切状態や投入時限値等の開閉器の状態情報、開閉器の接続情報、各区間の順送順序及び順送時間としての順送順序時間情報と投入時限設定手順情報とを記憶する記憶手段と、開閉器の入切状態や投入時限値等を取り込み、これら開閉器の状態情報として前記記憶手段へ記憶させる遠方監視手段と、前記記憶手段からの開閉器の状態情報及び開閉器と区間の接続情報に基づいて各区間の順送順序と順送時間を検出して順送順序時間情報として前記記憶手段へ記憶する順送時間検出手段と、前記記憶手段に記憶される順送順序時間情報に基づいて各区間の順送順序が重複しないように各開閉器の最適な投入時限を求めた投入時限設定手順情報を作成して前記記憶手段へ記憶する投入時限決定手段と，前記記憶手段に記憶される投入時限設定手順情報に基づいて各開閉器へ各情報を設定する遠方制御手段とを備えることを特徴とする配電系統監視制御システム。
【請求項２】
前記記憶手段に記憶される開閉器の順送方向情報に基づいて、順送方向が逆向きの開閉器について順送方向を正方向へ設定する順送方向決定情報を作成し、前記記憶手段へ記憶すると共に、前記順送時間検出手段へ通知する順送方向決定手段を備えることを特徴とする請求項１記載の配電系統監視制御システム。
【請求項３】
前記順送時間検出手段によって求めた各区間の順送順序と順送時間としての順送順序時間情報を運用者へ通知する順送順序通知手段を設けることを特徴とする請求項１記載の配電系統監視制御システム。
【請求項４】
前記投入時限決定手段により求めた投入時限設定手順情報を運用者に提供する投入時限設定手順通知手段と、前記投入時限設定手順情報の実施可否を指定する投入時限設定指示手段とを有し、前記投入時限設定指示手段により前記手順の実行を指示された場合に前記遠方制御手段により投入時限設定手順情報の設定を行うことを特徴とする請求項１記載の配電系統監視制御システム。
【請求項５】
前記記憶手段に記憶される配電系統設備の接続情報を更新するメンテナンス手段を有し、メンテナンス時に前記記憶手段の前記接続情報を最新な情報へ更新し、前記投入時限決定手段により最適な投入時限の設定値を求め、前記投入時限設定手順通知手段により運用者に必要な情報を提供することを特徴とする請求項１記載の配電系統監視制御システム。
【請求項６】
前記記憶手段に記憶される前記各情報に加えて配電系統を構成する区間の復旧優先度情報を保存させ、前記投入時限決定手段が前記復旧優先度情報を加味した上で復旧優先度の高いものから順送するように投入時限設定手順情報を作成することを特徴とする請求項１記載の配電系統監視制御システム。
【請求項７】
運用者が配電系統を構成する各区間の順送順序の全て、あるいは、一部を指定して入力し前記記憶手段へ記憶させる順送順序入力手段を有し、前記投入時限決定手段が前記順送順序入力手段より入力された順送順序を加味した上で投入時限設定手順情報を設定することを特徴とする請求項１記載の配電系統監視制御システム。
【請求項８】
前記記憶手段に記憶されている前記各情報に加えて各配電線毎に決められた再閉路時限を再閉路時限情報として前記記憶手段へ記憶し、前記順送時間検出手段による順送順序時間情報と前記再閉路時限情報とに基づいて前記配電線の再閉路時限内に納まるように、前記投入時限決定手段によって、投入時限の値を設定することを特徴とする請求項１記載の配電系統監視制御システム。
【請求項９】
送電順序の重複の検出や投入時限の設定手順等の設定の可否を設定可否情報として前記記憶手段へ記憶させる投入時限設定活殺手段を有し、前記記憶手段に記憶される前記設定可否情報を参照して前記順送時間検出手段、前記投入時限決定手段、前記遠方制御手段の各手段の処理を実行することを特徴とする請求項１記載の配電系統監視制御システム。
【請求項１０】
開閉器の入切状態や投入時限値等の開閉器の状態情報と開閉器の接続情報と、さらに、各区間の順送順序及び順送時間としての順送順序時間情報と投入時限設定手順情報とを記憶する記憶手段と、開閉器の入切状態や投入時限値等を取り込み、開閉器の状態情報として前記記憶手段へ記憶する遠方監視手段と、前記記憶手段からの開閉器の状態情報及び開閉器と区間の接続情報に基づいて各区間の順送順序と順送時間を検出して順送順序時間情報として前記記憶手段へ記憶する順送時間検出手段と前記記憶手段に記憶される順送順序時間情報に基づいて各区間の順送順序が重複しないように各開閉器の最適な投入時限を求めた投入時限設定手順情報を作成して前記記憶手段へ記憶する投入時限決定手段と，前記記憶手段に記憶される投入時限設定手順情報に基づいて各開閉器へ各情報を設定する遠方制御手段とを備えることを特徴とする配電系統監視制御システムの処理プログラムを記録する記録媒体。
【発明の詳細な説明】
【０００１】
【発明の属する技術分野】
本発明は、配電系統の運用にあたり、配電系統に接続する開閉器の投入時限の状態を用いて、事故検出、復旧操作を行う配電系統監視制御システム及び該システムの処理プログラムを記録する記録媒体に関する。
【０００２】
【従来の技術】
配電系統の各開閉器は、配電線より制御電源が供給されるようになっているために任意の区間に故障が発生し、図示しない保護リレーの働きにより配電線遮断器Ｆ１が遮断されると、一斉に自動的に開放する。配電線の再閉路等により、開閉器の一方に電圧が印加されると、一定時限後に自動的に投入する。この一定時限を投入時限（略称Ｘ時限）という。Ｘ時限は設定により定めるが、通常、開閉器の動作性能により５〜１０秒程度（まれに０秒）に設定される。
【０００３】
例えば、図５９に示す系統例４０では、故障等で停電すると開閉器Ｓｎが自動的に開放される。その後配電線ＣＢＦ１の投入等で再閉路とされると、まず、開閉器Ｓ１がＸ時限である７秒後に投入され、開閉器Ｓ２が（７＋７）秒の１４秒後に投入される。続いて開閉器Ｓ５が（７＋１４）の２１秒後に投入され、さらに、開閉器Ｓ３が（７＋７＋１４）秒の２８秒後に投入される。
【０００４】
従来は、Ｘ時限の設定はメンテナンス機能によりＸ時限を設定した後は、特に運用者が変更しない限りＸ時限の設定値に不都合があろうともそのまま運用していた。また、運用者の指示によりＸ時限を遠方制御した場合に、当該機器の設定がされていた。
【０００５】
【発明が解決しようとする課題】
しかしながら、配電系統全体のＸ時限値の相関関係に不都合が発生することがあり、また、系統の送電形態の変更等により結果的にＸ時限の相関関係に不都合が生じる場合もあり、これを放置することは配電系統の運用上の問題が多い。
【０００６】
また、配電系統の拡張計画時には、人間系にて設定すべきＸ時限を計算するため、計算ミス等により、Ｘ時限の相関関係に不都合が生じることがあり、このような状態で配電系統の運用を続けた場合、配電系統事故発生時に事故区間の判定を誤る等、系統運用にあたり、重大な支障が生じる危険性があった。
【０００７】
例えば、図５９に示す系統例４０において、開閉器Ｓ３、開閉器Ｓ４、開閉器Ｓ５の全てのＸ時限が誤って７秒に設定されていると開閉器Ｓ２と開閉器Ｓ５が（７＋７）秒の１４秒に同時に投入され、また、開閉器Ｓ４と開閉器Ｓ６が２８秒後に同時に投入されるという問題が生じる。
【０００８】
そこで、本発明は投入時限、入切状態等の開閉器の状態を基に投入時限の設定に関して不都合があるか否かを検出し、不都合がある場合は、迅速に最適なＸ時限設定値を求めて現場に設定する配電系統監視制御システム及び該システムの処理プログラムを記録する記録媒体を提供することを目的とする。
【０００９】
【課題を解決するための手段】
請求項１の発明は、開閉器の入切状態や投入時限値等の開閉器の状態情報と開閉器の接続情報と、さらに、各区間の順送順序及び順送時間としての順送順序時間情報と投入時限設定手順情報とを記憶する記憶手段と、開閉器の入切状態や投入時限値等を取り込み、開閉器の状態情報として記憶手段へ記憶する遠方監視手段と、記憶手段からの開閉器の状態情報及び開閉器と区間の接続情報に基づいて各区間の順送順序と順送時間を検出して順送順序時間情報として記憶手段へ記憶する順送時間検出手段と、記憶手段に記憶される順送順序時間情報に基づいて各区間の順送順序が重複しないように各開閉器の最適な投入時限を求めた投入時限設定手順情報を作成して記憶手段へ記憶する投入時限決定手段と，記憶手段に記憶される投入時限設定手順情報に基づいて各開閉器へ各情報を設定する遠方制御手段とを設けるようにしたものである。この手段によれば、開閉器の状態情報が取り込まれ、この開閉器の状態情報と開閉器と区間の接続情報とから各開閉器の順送順序と順送時間とが順送順序時間情報として求められる。そして、各区間の順送順序が重複しないように各開閉器の投入時限が設定される。従って、投入時限の設定の誤り、送電状態の変更や、投入時限の設計ミス等の投入時限設定に関する各開閉器や区間の相互間に生ずる不都合が人手を介することなく解消されて、配電系統の信頼性が大幅に向上できる。
【００１０】
請求項２の発明は、請求項１記載の配電系統監視制御システムにおいて、記憶手段に記憶される開閉器の順送方向情報に基づいて、順送方向が逆向きの開閉器について順送方向を正方向へ設定する順送方向決定情報を作成し、記憶手段へ記憶すると共に、順送時間検出手段へ通知する順送方向決定手段を設けるようにしたものである。この手段によれば、順送方向情報に基づいて順送方向が逆向きの開閉器が判定され、正方向へ設定する処理がされる。これによって人手を介することなく配電系統の不都合が解消でき、信頼性を向上させることができる。
【００１１】
請求項３の発明は、請求項１記載の配電系統監視制御システムにおいて、順送時間検出手段によって求めた各区間の順送順序と順送時間としての順送順序時間情報を運用者へ通知する順送順序通知手段を設けるようにしたものである。この手段によれば、各区間の順送順序と順送時間とが適宜、運用者へ通知されるので、書類や図面で知るのと異なり運用者が的確に状態を把握でき、適切な運用を図ることができる。
【００１２】
請求項４の発明は、請求項１記載の配電系統監視制御システムにおいて、投入時限決定手段により求めた投入時限設定手順情報を運用者に提供する投入時限設定手順通知手段と、投入時限設定手順情報の実施可否を指定する投入時限設定指示手段とを有し、投入時限設定指示手段により手順の実行を指示された場合に遠方制御手段により投入時限設定手順情報の設定を行うようにしたものである。この手段によれば、投入時限設定手順情報が運用者へ知らされ、運用者が設定の可否を指定すると、投入時限設定手順情報が各開閉器へ設定される。これにより、投入時限設定に関する不都合が運用者の確認の上で解消でき、配電系統運用の信頼性を向上できる。
【００１３】
請求項５の発明は、請求項１記載の配電系統監視制御システムにおいて、記憶手段に記憶される配電系統設備の接続情報を更新するメンテナンス手段を有し、メンテナンス時に記憶手段の接続情報を最新な情報へ更新し、投入時限決定手段により最適な投入時限の設定例を求め、投入時限設定手順通知手段により運用者に必要な情報を提供するようにしたものである。この手段によれば、メンテナンス時に記憶手段に記憶される各情報が更新される一方、運用者へ知らされる。これによって、開閉器の投入時限が変更されたり接続が変更されたりしたとき、即座に記憶手段の内容が最新の実情に沿ったものとなり、また、運用者は変更等を把握することができ、信頼性の向上が図れる。
【００１４】
請求項６の発明は、請求項１記載の配電系統監視制御システムにおいて、記憶手段に記憶される各情報に加えて配電系統を構成する区間の復旧優先度情報を保存させ、投入時限決定手段が復旧優先度情報を加味した上で復旧優先度の高いものから順送するように投入時限設定手順情報を作成するようにしたものである。この手段によれば、予め記憶手段に区間の予め復旧優先度情報が記憶され、この情報に従った順送順序となるように投入時限が求められる。これによって現場の実情に即したものとなり、投入時限設定に関する不都合が解消され、信頼性の向上が図られる。
【００１５】
請求項７の発明は、請求項１記載の配電系統監視制御システムにおいて、運用者が配電系統を構成する各区間の順送順序の全て、あるいは、一部を指定して入力し記憶手段へ記憶させる順送順序入力手段を有し、投入時限決定手段が順送順序入力手段より入力された順送順序を加味した上で投入時限設定手順情報を設定するようにしたものである。この手段によれば、運用者の区間内の順送順序の指定が考慮されて、投入時限が設定されるので、運用者の意図する順送順序が反映される。従って、配電系統の的確な運用が図られる。
【００１６】
請求項８の発明は、請求項１記載の配電系統監視制御システムにおいて、記憶手段に記憶されている各情報に加えて各配電線毎に決められた再閉路時限を再閉路時限情報として記憶手段へ記憶し、順送時間検出手段による順送順序時間情報と再閉路時限情報とに基づいて配電線の再閉路時限内に納まるように、投入時限決定手段によって、投入時限の値を設定するようにしたものである。この手段によれば、配電系統毎に決められた再閉路時限の情報と順送順序の情報とによって、再閉路時限に収まるように投入時限が設定される。これにより、投入時限の設定に関する開閉器間の不都合が解消でき、信頼性が向上される。
【００１７】
請求項９の発明は、請求項１記載の配電系統監視制御システムにおいて、送電順序の重複の検出や投入時限の設定手順等の設定の可否を設定可否情報として記憶手段へ記憶させる投入時限設定活殺手段を有し、記憶手段に記憶される設定可否情報を参照して順送時間検出手段、投入時限決定手段、遠方制御手段の各手段の処理を実行するようにしたものである。この手段によれば、投入時限の設定や順送順序の重複の検出の可否が設定可否情報として予め記憶され、この情報に従って処理がされる。これによって、無用に投入時限等の設定がされるおそれが解消され、必要な時のみ設定でき、配電系統監視制御システムの信頼性を向上させることができる。
【００１８】
請求項１０の発明は、開閉器の入切状態や投入時限値等の開閉器の状態情報と開閉器の接続情報と、さらに、各区間の順送順序及び順送時間としての順送順序時間情報と投入時限設定手順情報とを記憶する記憶手段と、開閉器の入切状態や投入時限値等を取り込み、開閉器の状態情報として記憶手段へ記憶する遠方監視手段と、記憶手段からの開閉器の状態情報及び開閉器と区間の接続情報に基づいて各区間の順送順序と順送時間を検出して順送順序時間情報として記憶手段へ記憶する順送時間検出手段と記憶手段に記憶される順送順序時間情報に基づいて各区間の順送順序が重複しないように各開閉器の最適な投入時限を求めた投入時限設定手順情報を作成して記憶手段へ記憶する投入時限決定手段と，記憶手段に記憶される投入時限設定手順情報に基づいて各開閉器へ各情報を設定する遠方制御手段とを設ける配電系統監視制御システムの処理プログラムを記録するようにしたものである。
【００１９】
【発明の実施の形態】
以下、本発明の実施の形態について図面を参照して説明する。
【００２０】
図１は、本発明の第１実施の形態を示す配電系統監視制御装置の構成図であって、第１実施の形態の配電系統監視制御装置１００は、記憶手段１と遠方監視手段２と遠方制御手段３と順送時間検出手段４とＸ時限決定手段５とから構成されている。
【００２１】
ここで、記憶手段１は、開閉器の入切状態やＸ時限値等の開閉器の状態情報と開閉器の接続情報と、さらに、各区間の順送順序及び順送時間としての順送順序時間情報とＸ時限設定手順情報とを記憶する。遠方監視手段２は、開閉器の入切状態やＸ時限値等を取り込み、開閉器の状態情報として記憶手段１へ記憶する。遠方制御手段３は、記憶手段１に記憶されるＸ時限設定手順情報に基づいて各開閉器へ各情報を設定する。順送時間検出手段４は、記憶手段１からの開閉器の状態情報及び開閉器と区間の接続情報に基づいて各区間の順送順序と順送時間を検出して順送順序時間情報として記憶手段１へ記憶する。Ｘ時限決定手段５は、記憶手段１に記憶される順送順序時間情報に基づいて各区間の順送順序が重複しないように各開閉器の最適なＸ時限を求めたＸ時限設定手順情報を作成して記憶手段１へ記憶する。
【００２２】
次に、本発明の第１実施の形態の作用を説明する。
【００２３】
まず、遠方監視手段２によって、現場開閉器の入切状態、Ｘ時限としての開閉器の状態情報が取り込まれ、記憶手段１に保存される。
【００２４】
次に、順送時間検出手段４によって、記憶手段１に保存されている開閉器の状態情報及び開閉器と区間の接続情服を基に、当該配電系統に関して、各区間の順送順序と順送時間（ＦＣＢ投入から復電までに要する時間）を求め、これを順送順序時間情報として記憶手段１に保存する。
【００２５】
まず、図２に示す順送時間検出手段４の処理を説明すると、当該配電系統から送電されている区間を取出し、電源側から順に並べる（全区間送電時間未決定とする）（Ｓ１）。そして、最電源側の区間の送電時間を０秒とする（Ｓ２）。続いて、全ｎ区間で、最初ｎ＝１として残り区間数を順次実行する（Ｓ３）。続いて、電源側から順に送電時間が未決定の区間を１つ取出す（Ｓ４）。さらに、当該区間の電源側区間との間の開閉器を取出す（Ｓ５）。但し、当該開閉器の順送方向が逆向きの場合以降の区間はチェック対象外とする。
【００２６】
続いて、電源側区間の送電時間と当該開閉器のＸ時限の和を当該区間の送電時間として記憶手段１に保存する（Ｓ６）。以上の処理が全ｎ区間実行される。以上の処理が終了すると、送電時間順に区間に番号を振りこれを順送順序とする。同じ送電時間を持つ区間は同じ番号を振って記憶手段１に保存する（Ｓ７）。そして、同じ順送順序の区間があればその旨Ｘ時限決定手段５に通知する（Ｓ８）。
【００２７】
図２の処理ステップＳ１においては、当該配電線からの送電範囲に含まれる区間ｎを電源側から順に並べる。これは、図３に示す系統例４１において、図４に示すよう並び替え結果例（１）６１ａ、あるいは、並び替え結果例（２）６１ｂのようにする。この図４の並び替え結果例（１）６１ａによれば、電源側から区間がＫ０，Ｋ１，Ｋ２，Ｋ３，Ｋ４，Ｋ５，Ｋ６，Ｋ７，Ｋ８となり、又並び替え結果例（２）６１ｂによれば、電源側から区間がＫ０，Ｋ１，Ｋ２，Ｋ５，Ｋ３，Ｋ４，Ｋ６，Ｋ７，Ｋ８となっている。
【００２８】
図２のＳ１にて行う、区間の並び替えは、“当該配電線のフィーダＣＢから当該区間までの経路上の（当該区間より電源側の）区間が、当該区間より後ろに配置されない”ということを満たす並びであればどのような並びでも構わない。このような並びを求めるアルゴリズムとしては深さ優先探索や、幅優先探索等、様々な公知技術があるが、本発明は、どのようなアルゴリズムを用いてもよく、結果として得られる順送順序の質には影響しない。以降に記載する各実施の形態の作用において、区間を電源側から順に並び替える処理は全てこれと同ように実施する。
【００２９】
次に、順送時間検出手段４が各区間の順送順序を求めた結果、順送順序が同じ区間があった場合には、その旨がＸ時限決定手段５に通知される。
【００３０】
図５は、Ｘ時限決定手段５の処理を示し、まず、当該配電系統から送電されている区間を取出し電源側から順に並べる（Ｓ１１）。但し、全区間順送順序未設定とする。そして、最電源側の区間の順送順序を１とする（Ｓ１２）。次に、全ｎ区間の内でｎ＝１として順次実行する（Ｓ１３）。電源側から順に順送順序が未決定の区間を１つ取出す（Ｓ１４）。さらに、当該区間の電源側区間との間の開閉器を取出す（Ｓ１５）。この場合、当該開閉器の順送方向が逆向きの場合、以降の系統は設定対象外とする。
【００３１】
次に、順送順序が設定されている区間の内で、最も順送順序が大きいものに＋１した順序を当該区間の順送順序とする（Ｓ１６）。そして、上記順送順序となるようなＸ時限の内で、最も小さい値を当該区間の電源側開閉器のＸ時限とする（Ｓ１７）。以上の処理が全ｎ区間実行され、決定したＸ時限の内、現在の値と異なるものがあればそのような開閉器全てについて、開閉器と共に決定したＸ時限を設定手順として記憶手段１に保存する（Ｓ１８）。設定手段を遠方制御手段３に通知する（Ｓ１９）。
【００３２】
このように順送順序が同じ区間とその負荷側に繋がる区間の送電順序が重ならないようにＸ時限が求められ、各開閉器へのＸ時限設定手順を記憶手段１に保存し、その旨を遠方制御手段３に通知する。遠方制御手段３は、記憶手段１に保存されているＸ時限設定手順情報に基づき、Ｘ時限を現場の各開閉器へ設定する。
【００３３】
図６は、本発明の第１実施の形態による配電系統監視制御装置を具体的に適用する構成図である。
【００３４】
本実施の形態は、計算機システム２００と、計算機システム２００と配電系統機器の間に入り機器状態等の情報の授受を行う遠方監視制御装置２２とから構成される。
【００３５】
記憶手段１に相当する記憶装置２１は、計算機システム２００に実装されるメモリやディスク等の記憶装置により実現されている。 遠方監視手段２及び遠方制御手段３に相当する遠方監視制御装置２２は、計算機システム２００と伝送路により接続され、マイコン制御により、現場開閉器の監視制御を行う装置である。順送時間検出手段４に相当する順送時間検出プログラム２３またはＸ時限決定手段５に相当するＸ時限決定プログラム２４は計算機システム２００上で動作するプログラムにより実現される。
【００３６】
次に、系統例として図７を用いて本実施の形態の作用を説明する。
【００３７】
遠方監視制御装置２２は現場開閉器の状態として入切状態、Ｘ時限値を図８に示すように開閉器エリア６３に開閉器の状態として、記憶装置２１に保存する。また、記憶装置２１には、図９及び図１０に示すようなデータ構造で配電系統を構成する区間、開閉器の接続情報を保存している。図９は、図７の系統例４２に対応し、配電線接続区間６４ａと開閉器接続区間６４ｂを記憶している。また、図１０は、区間接続開閉器６５を記憶している。図７のような系統例４２の場合、記憶装置２１には図１１乃至図１３のように情報が保存されている。図１１は、配電線接続区間６６を記憶し、図１２は、開閉器接続区間６７ａと開閉器現在状態６７ｂを記憶し、図１３は、区間接続開閉器６８を記憶している。順送時間検出プログラム２３は、前述した図２の処理フローに基づき処理を行う。その結果、各区間の順送順序、順送時間として図１４に示すように各区間の送電順序６９が記憶装置２１に保存される。
【００３８】
この図１４に示す例によれば、順送順序が重複している区間が存在する（区間Ｋ４，区間Ｋ６の順送順序はともに６で、順送時間３５秒で同じ）ため、Ｘ時限決定プログラム２４に起動要求が行われる。Ｘ時限決定プログラム２４は記憶装置２１に保存されている情報に基づき、前述した図５の処理フローに従い処理を行う。
【００３９】
ここで、図７の系統例を用いて図５処理を説明する。例えば、まず、Ｋ０、Ｋ１、・・・・・・Ｋ８を取り出し、電源側から並べる（Ｓ１１）。そして、最電源側の区間Ｋ０の順送順序を１とする（Ｓ１２）。さらに、残りの区間Ｋ１・・・Ｋ８についてもＳ１４からＳ１７の処理を行う（Ｓ１３）。続いて、Ｋ０の次にＫ１を取り出す（Ｓ１４）。取り出した区間Ｋ１の電源側開閉器Ｓ１を取り出す（Ｓ１５）。この結果、既に、決定されている区間は１つ（Ｋ０のみ）であり、その順送順序はｎ＝１であるので、Ｋ１の順送順序は１＋１＝２となる（Ｓ１６）。次に、Ｋ１よりも電源側には開閉器がないので、Ｓ１５で取り出してきた開閉器Ｓ１に最も小さいＸ時限（この場合、７秒）が設定される。
【００４０】
以上のＳ１４からＳ１７までの処理を区間Ｋ２、Ｋ３、Ｋ４、Ｋ５について行う。区間Ｋ６の処理に関するステップＳ１６の処理において、Ｋ０からＫ５の順送順序の中で一番大きいのはＫ４の順送順序６であるので、Ｋ６の順送順序は６＋１＝７となる。しかも、開閉器Ｓ４のＸ時限は３５秒に設定したので、開閉器Ｓ６の設定時限は３５秒＋７（最小Ｘ時限）＝４２秒となる。このようにして、上記図１５に示す結果が求められる。その結果、図１５に示す送電順序７０ａが求められ、記憶装置２１に各開閉器のＸ時限と共に、Ｘ時限設定手順が保存される。
【００４１】
Ｘ時限決定プログラム２４は、Ｘ時限の設定手順の実施要求を遠方監視制御装置２２に対して行う。遠方監視制御装置２２は、記憶装置２１に設定されているＸ時限設定手順に基づき、現場開閉器に対してＸ時限の設定を行う。図１５に示す例では、Ｘ時限設定手順（１）７０ｂのように開閉器Ｓ６の順送時間が４２秒とされる。
【００４２】
このように第１実施の形態によれば、開閉器の状態情報が取り込まれ、この開閉器の状態情報と開閉器と区間の接続情報とから各開閉器の順送順序と順送時間とが順送順序時間情報として求められる。そして、各区間の順送順序が重複しないように各開閉器のＸ時限が設定される。従って、Ｘ時限の設定の誤り、送電状態の変更や、Ｘ時限の設計ミス等のＸ時限設定に関する各開閉器や区間の相互間に生ずる不都合が人手を介することなく解消されて、配電系統の信頼性が大幅に向上できる。
【００４３】
図１６は、本発明の第２実施の形態を示す配電系統監視制御装置の構成図である。
【００４４】
配電系統監視制御装置１００Ａは、記憶手段１Ａと遠方監視手段２Ａと遠方制御手段３Ａと順送時間検出手段４ＡとＸ時限決定手段５Ａと順送方向決定手段６Ａから構成され、第２実施の形態は、順送方向決定手段６Ａを有する点に特徴を有し、第１実施の形態を示す図１の符号に添字Ａを付した場合、同一符号となるものは、相当部分を示し、以下第３実施の形態乃至第９実施の形態についても同様である。
【００４５】
ここで、順送方向決定手段６Ａは、記憶手段１Ａに記憶される開閉器の順送方向情報に基づいて、順送方向が逆向きの開閉器について順送方向を正方向へ設定する順送方向決定情報を作成し、記憶手段１Ａへ記憶すると共に、順送時間検出手段４Ａへ通知する。
【００４６】
以上の構成で、遠方監視手段２Ａによって、現場開閉器の入切状態とＸ時限及び順送方向が取り込まれ、各開閉器の状態情報として記憶手段１Ａに保存される。次に、順送方向決定手段６Ａによって記憶手段１Ａに記憶される順送方向情報に基づいて当該配電系統の送電範囲内の順送方向が逆向きの開閉器の有無がチェックされる。そのような開閉器があった場合、順送方向を正方向に設定する手順が求められ、記憶手段１Ａに保存され、その旨が順送時間検出手段４Ａに通知される。
【００４７】
具体的には、図１７に示す順送方向決定手段６Ａの処理がされ、まず、当該配電系統の送電範囲内の開閉器を取出す（Ｓ２１）。そして、全ｎ区間の内でｎ＝１から順次以下の処理がされる（Ｓ２２）。まず、当該開閉器の順送方向は逆向きか否かが判定され、この判定で逆向きの場合、当該開閉器は順送設定可能か否かの判定がされる（Ｓ２３，Ｓ２４）。この判定で順送設定可のとき当該開閉器の設定手順を記憶手段１Ａに保存する（Ｓ２５）。そして、以上の処理が繰り返され順送時間検出手段４Ａに処理の終了が通知される（Ｓ２６）。
【００４８】
次に、順送時間検出手段４Ａによって第１実施の形態の処理と同様の手順により、各区間の順送順序と順送時間が求められ、記憶手段１Ａに保存される。その際、各開閉器の順送方向は順送方向決定手段６Ａにて出力した設定手順を実施したと仮定した場合の状態とする。また、順送時間検出手段４Ａは第１実施の形態と同様に、順送順序が同じ区間があった場合には、その旨をＸ時限決定手段５Ａに通知する。Ｘ時限決定手段５Ａは第１実施の形態の処理と同様の手順により、順送順序が同じ区間とその負荷側に繋がる区間の送電順序が重ならないようにＸ時限が求められ、各開閉器へのＸ時限設定手順が記憶手段１Ａに保存され、その旨が遠方制御手段３Ａに通知される。遠方制御手段３Ａは、記憶装置２１に保存されている順送方向設定手順とＸ時限設定手順に基づき、順送方向とＸ時限を現場開閉器に設定する。
【００４９】
図１８は、本発明の第２実施の形態の配電系統監視制御装置を具体的に適用する構成図である。
【００５０】
本実施の形態は、計算機システム２００Ａと計算機システム２００Ａと配電系統機器の間に入り機器状態等の情報の授受を行う遠方監視制御装置２２Ａとから構成される。
【００５１】
記憶手段１Ａに相当する記憶装置２１Ａは計算機システム２００Ａに実装されるメモリやディスク等の記憶装置により実現される。遠方監視手段２Ａ、遠方制御手段３Ａに相当する遠方監視制御装置２２Ａは、計算機システム２００Ａと伝送路により接続され、マイコン制御により、現場開閉器の監視制御を行う装置である。順送時間検出手段４Ａに相当する順送時間検出プログラム２３Ａ、Ｘ時限決定手段５Ａに相当するＸ時限決定プログラム２５Ａ、順送方向決定手段６Ａに相当する順送方向決定プログラム２５Ａは計算機システム２００Ａ上で動作するプログラムにより実現される。
【００５２】
次に、系統例として図１９を用いて実施の形態の作用を説明する。
【００５３】
まず、遠方監視制御装置２２Ａによって現場開閉器の状態として入切状態、Ｘ時限値が図８に示すようなデータ構造で、また、現場開閉器の順送方向を図２０に示すデータ構造の開閉器現在状態７１で記憶装置２１Ａに保存している。また、記憶装置２１Ａには図９及び図１０で示す情報に加え、図２１に示すようなデータ構造の開閉器順送方向設定可否７２が配電系統を構成する区間、開閉器の接続情報として保存している。
【００５４】
ここで、図９のような系統例の場合、記憶装置２１Ａには図１１乃至図１３で示す情報に加え、図１９の系統例４３に対応して図２２に示す現場順送方向７３が記憶され、また、図２３で示す順送方向設定可否７４が保存されている。順送方向決定プログラム２５Ａは、図１７の処理フローに基づき処理を行う。その結果、図２４に示すような順送方向設定手順（１）７３が記憶装置２１Ａに保存され、順送時間検出プログラム２３Ａが起動される。
【００５５】
順送時間検出プログラム２３Ａは、図２の処理フローに基づき、処理を行う。その結果、各区間の順送順序、順送時間として図１４に示すような情報を記憶装置２１Ａに保存する。この例では順送順序が重複している区間が存在する（区間Ｋ４、区間Ｋ６）。又順送方向が逆により送電されない区間が存在するために、Ｘ時限決定プログラム２４Ａに起動要求を行う。
【００５６】
Ｘ時限決定プログラム２４Ａは記憶装置２１Ａに保存されている情報に基づき、図５の処理フローに従い処理を行う。その結果、図１５に示すようにＸ時限が求められ、記憶装置２１Ａに各開閉器のＸ時限と共にＸ時限設定手順を保存する。Ｘ時限決定プログラム２４Ａは、Ｘ時限の設定手順の実施要求を遠方監視制御装置２２Ａに対して行う。遠方監視制御装置２２Ａは、記憶装置２１Ａに設定されているＸ時限設定手順に基づき、現場開閉器に対してＸ時限の設定を行う。
【００５７】
このように第２実施の形態によれば、順送方向情報に基づいて順送方向が逆向きの開閉器が判定され、正方向へ設定する処理がされる。これによって人手を介することなく配電系統の不都合が解消でき、信頼性を向上させることができる。
【００５８】
図２５は、本発明の第３実施の形態を示す配電系統監視制御装置の構成図である。
【００５９】
配電系統監視制御装置１００Ｂは、記憶手段１Ｂと遠方監視手段２Ｂと遠方制御手段３Ｂと順送時間検出手段４ＢとＸ時限決定手段５Ｂと順送順序通知手段７Ｂとから構成され、本実施の形態は、順送順序通知手段７Ｂを有する点に特徴を有している。
【００６０】
ここで、順送順序通知手段７Ｂは、順送時間検出手段４Ｂによって求めた各区間の順送順序と順送時間としての順送順序時間情報を運用者へ通知する。
【００６１】
以上の構成で、順送時間検出手段４Ｂによって、第１実施の形態と同様の手順処理がされ、各区間の順送順序が求め、記憶手段１Ｂに保存され、順送順序通知手段７Ｂに通知される。順送順序通知手段７Ｂは、記憶手段１Ｂに保存されている各区間の順送順序に基づき、各区間毎の順送順序をオペレータに通知する。
【００６２】
具体的には、図２６に示す順送時間検出手段４Ｂの処理がされ、当該配電系統から送電されている区間を取出し、電源側から順に並べる（全区間送電時間未決定とする）（Ｓ３１）。そして、最電源側の区間の送電時間を０秒とする（Ｓ３２）。次に、全ｎ区間で、ｎ＝１として以下の処理がされる（Ｓ３３）。まず、電源側から順に送電時間が未決定の区間を１つ取出す（Ｓ３４）。そして、当該区間の電源側区間との間の開閉器を取出す（Ｓ３５）。但し、当該開閉器の順送方向が逆向きの場合以降の区間はチェック対象外とする。続いて、電源側区間の送電時間と当該開閉器のＸ時限の和を当該区間の送電時間とし、記憶手段１Ｂに保存する（Ｓ３６）。以上の処理が全区間行われると、送電時間順に区間の番号を振りこれを順送順序とする。同じ送電時間を持つ区間は同じ番号を振って記憶手段１Ｂに保存する（Ｓ３７）。そして、各区間の順送順序情報の通知要求を順送順序通知手段７Ｂに対して行う（Ｓ３８）。
【００６３】
図２７は、本発明の第３実施の形態を示す配電系統監視制御装置を具体的に適用する構成図である。
【００６４】
本実施の形態は、計算機システム２００Ｂと、計算機システム２００Ｂと配電系統機器の間に入り機器状態等の情報の授受を行う遠方監視制御装置２２Ｂとから構成される。
【００６５】
ここで、記憶手段１Ｂに相当する記憶装置２１Ｂは計算機システムに実装されるメモリやディスク等の記憶装置により実現される。遠方監視手段２Ｂ、遠方制御手段３Ｂに相当する遠方監視制御装置２２Ｂは、計算機システム２００Ｂと伝送路により接続され、マイコン制御により、現場開閉器の監視制御を行う装置である。順送時間検出手段４Ｂに相当する順送時間検出プログラム２３Ｂ、Ｘ時限決定手段５Ｂに相当するＸ時限決定プログラム２４Ｂは計算機システム２００Ｂ上で動作するプログラムにより実現される。順送順序通知手段７Ｂに相当するＭＭＩ装置２６Ｂは計算機システムに接続するＣＲＴ装置、プリンタ装置により実現される。
【００６６】
次に、系統例として図７を用いて実施の形態の作用を説明する。
【００６７】
まず、遠方監視制御装置２２Ｂによって、現場開閉器の状態として入切状態、Ｘ時限値が図８に示すようなデータ構造で記憶装置２１Ｂに保存される。また、記憶装置２１には図９及び図１０に示すようなデータ構造で配電系統を構成する区間、開閉器の接続情報を保存されている。図７のような系統の場合、記憶装置２１Ｂには図１１乃至図１３に示すような情報が保存されている。
【００６８】
次に、順送時間検出プログラム２３Ｂは、図２６の処理フローに基づき処理を行う。その結果、各区間の順送順序、順送時間として図１４に示すような情報が記憶装置２１Ｂに保存されると共に、各区間の順送時間や順送順序を示す情報の出力要求がＭＭＩ装置２６Ｂに対して行われる。また、この例では順送順序が重複している区間が存在するため、Ｘ時限決定プログラム２４Ｂに起動要求が行われる。
【００６９】
ＭＭＩ装置２６Ｂは記憶装置２１Ｂに保存されている情報に基づき図２８に示すように、区間毎の順送時間、順送順序を出力する。図２８は、区間毎に重複有無、相手区間、ＳＷ送電時間等のＸ時限送電順序情報４４ａと配電系統を図示し、重複区間を色ｉで識別する配電系統図４４ｂからなっている。
【００７０】
このように第３実施の形態によれば、各区間の順送順序と順送時間とが適宜、運用者へ通知されるので、書類や図面で知るのと異なり運用者が的確に状態を把握でき、適切な運用を図ることができる。
【００７１】
図２９は、本発明の第４実施の形態を示す配電系統監視制御装置の構成図である。
【００７２】
配電系統監視制御装置１００Ｃは、記憶手段１Ｃと遠方監視手段２Ｃと遠方制御手段３Ｃと順送時間検出手段４ＣとＸ時限決定手段５ＣとＸ時限設定手順通知手段８ＣとＸ時限設定指示手段９Ｃとから構成され、本実施の形態は、Ｘ時限設定手順通知手段８ＣとＸ時限設定指示手段９Ｃを有する点に特徴を有している。
【００７３】
ここで、Ｘ時限設定手順通知手段８Ｃは、Ｘ時限決定手段５Ｃにより求めたＸ時限設定手順情報を運用者に提供する。Ｘ時限設定指示手段９Ｃは、Ｘ時限設定手順情報の実施可否を指定する。
【００７４】
以上の構成で、Ｘ時限決定手段５Ｃは、第１実施の形態の処理と同様の手順により、各区間の順送順序が求められ、記憶手段１Ｃに保存され、Ｘ時限設定手順通知手段８Ｃにその旨が通知される。
【００７５】
次に、図３０に示すＸ時限決定手段５Ｃの処理がされ、まず、当該配電系統から送電されている区間を取出し、電源側から順に並べる（全区間送電時間未決定とする）（Ｓ４１）。そして、最電源側の区間の順送順序を１とする（Ｓ４２）。次に、全ｎ区間で、ｎ＝１として以下の処理がされる（Ｓ４３）。
【００７６】
まず、電源側から順に順送順序が未決定の区間を１つ取出す（Ｓ４４）。続いて、当該区間の電源側区間との間の開閉器を取出す（Ｓ４５）。但し、当該開閉器の順送方向が逆向きの場合、以降の系統は設定対象外とする。さらに、順送順序が設定されている区間の内、順送順序が大きいものに＋１した順序とする（Ｓ４６）。
【００７７】
次に、上記順送順序となるようなＸ時限の内で最も小さい値を当該区間の電源側開閉器のＸ時限とする（Ｓ４７）。以上の処理が全区間行われると決定したＸ時限の内、現在の値と異なるものがあれば、そのような開閉器全てについて、開閉器と共に決定したＸ時限を設定手順として記憶手段１Ｃに保存する（Ｓ４８）。各開閉器のＸ時限設定手順情報の通知要求をＸ時限設定手順通知手段８Ｃに対して行う（Ｓ４９）。
【００７８】
Ｘ時限設定手順通知手段８Ｃは、記憶装置２１Ｃに保存されているＸ時限の設定手順に基づき、当該配電系統にそれらのＸ時限を設定するための手順を運用者に通知する。Ｘ時限設定指示手段９Ｃでは、Ｘ時限設定の指示が入力されると、Ｘ時限設定指示を遠方制御手段３Ｃに通知する。これにより、遠方制御手段３Ｃは記憶手段１Ｃに保存されているＸ時限設定手順に基づき、Ｘ時限を現場開閉器に設定する。
【００７９】
図３１は、本発明の第４実施の形態を示す配電系統監視制御装置を具体的に適用する構成図である。
【００８０】
本実施の形態は、計算機システム２００Ｃと、計算機システム２００Ｃと配電系統機器の間に入り機器状態等の情報の授受を行う遠方監視制御装置２２Ｃとから構成される。
【００８１】
ここで、記憶手段１Ｃに相当する記憶装置２１Ｃは計算機システムに実装されるメモリやディスク等の記憶装置により実現される。遠方監視手段２Ｃ、遠方制御手段３Ｃに相当する遠方監視制御装置２２Ｃは、計算機システム２００Ｃと伝送路により接続され、マイコン制御により、現場開閉器の監視制御を行う装置である。順送時間検出手段４Ｃに相当する順送時間検出プログラム２３Ｃ、Ｘ時限決定手段５Ｃに相当するＸ時限決定プログラム２４Ｃは計算機システム２００Ｃ上で動作するプログラムにより実現される。Ｘ時限設定手順通知手段８Ｃに相当するＭＭＩ装置２６Ｃは計算機システムに接続するＣＲＴ装置、プリンタ装置により実現される。Ｘ時限設定指示手段９Ｃに相当する入力装置２７Ｃは計算機システムに接続するマウス、キーボード、押し釦等の入力デバイスにより実現される。
【００８２】
次に、系統例として図７を用いて第４実施の形態の作用を説明する。
【００８３】
まず、遠方監視制御装置２２Ｃによって、現場開閉器の状態として入切状態、Ｘ時限値が図８に示すようなデータ構造で記憶装置２１Ｃに保存される。また、記憶装置２１Ｃには図９及び図１０に示すようなデータ構造で配電系統を構成する区間、開閉器の接続情報が保存されている。ここで、図７のような系統の場合、記憶装置２１Ｃには図１１乃至図１３に示すような情報が保存されている。
【００８４】
次に、順送時間検出プログラム２３Ｃは、図２６の処理フローに基づき処理を行う。その結果、各区間の順送順序、順送時間として図１４に示すような情報が記憶装置２１Ｃに保存される。また、この例では順送順序が重複している区間が存在するため、Ｘ時限決定プログラム２４Ｃに起動要求が行われる。
【００８５】
Ｘ時限決定プログラム２４Ｃは、記憶装置２１Ｃに保存されている情報に基づき、図３０の処理フローに従い処理を行う。
【００８６】
その結果、図１５に示すようにＸ時限が求められ、記憶装置２１Ｃに各開閉器のＸ時限と共にＸ時限設定手順が保存される。また、Ｘ時限決定プログラム２４Ｃは、各開閉器に対するＸ時限設定手順情報の出力要求をＭＭＩ装置２６Ｃに対して行う。ＭＭＩ装置２６Ｃは記憶装置２１Ｃに保存されている情報に基づき図３２に示すように、各開閉器毎にＸ時限を設定するためＸ時限設定手順一覧４５を出力する。この図３２には、配電線Ｎｏ．、設定開閉器値、重複解消等が表示される。マウス等の入力装置２７ＣによりＸ時限設定指示があると、遠方監視制御装置２２Ｃは、記憶装置２１Ｃに保存されているＸ時限設定手順に基づき、現場開閉器に対してＸ時限の設定を行う。
【００８７】
このように第４実施の形態によれば、Ｘ時限設定手順情報が運用者へ知らされ、運用者が設定の可否を指定すると、Ｘ時限設定手順情報が各開閉器へ設定される。これにより、Ｘ時限設定に関する不都合が運用者の確認の上で解消でき、配電系統運用の信頼性を向上できる。
【００８８】
図３３は、本発明の第５実施の形態を示す配電系統監視制御装置の構成図である。
【００８９】
配電系統監視制御装置１００Ｄは、記憶手段１Ｄとメンテナンス手段１０ＤとＸ時限設定手順通知手段８Ｄと順送時間検出手段４ＤとＸ時限決定手段５Ｄとから構成され、本実施の形態はメンテナンス手段１０Ｄを有する点に特徴を有している。
【００９０】
ここで、メンテナンス手段１０Ｄは、メンテナンス時に記憶手段１Ｄに記憶される接続情報を最新な情報へ更新する。
【００９１】
以上の構成で、メンテナンス手段１０Ｄにより、系統設備情報についてメンテナンスがなされると、メンテナンス手段１０Ｄは、その際、設定された開閉器の入切情報、Ｘ時限、各区間と開閉器の接続情報を記憶手段１Ｄへ保存し、順送時間検出手段４Ｄにメンテナンスがあった旨を通知する。なお、メンテナンス手段１０Ｄが記憶手段１Ｄに保存した一連の情報を総称してオフラインＤＢと呼ぶことにする。
【００９２】
次に、順送時間検出手段４Ｄは、第１実施の形態と同様の手順により、各区間の順送順序と順送時間を求め記憶手段１Ｄに保存する。その際、各開閉器の入切情報、Ｘ時限、各区間と開閉器の接続情報がメンテナンス手段１０Ｄにて設定されたオフラインＤＢに基づいた情報が用いられる。
【００９３】
また、順送時間検出手段４Ｄは、第１実施の形態と同様に順送順序が同じ区間があった場合には、その旨をＸ時限決定手段５Ｄへ通知する。Ｘ時限決定手段５Ｄは、第１実施の形態と同様の手順により、順送順序が同じ区間とその負荷側に繋がる区間の送電順序が重ならないようにＸ時限を求め、各開閉器へのＸ時限設定手順を記憶手段１Ｄに保存する。その際、順送時間検出手段４Ｄと同様に、一連の手順はオフラインＤＢに基づき実施する。Ｘ時限決定手段５Ｄは、処理が完了すると、その旨をＸ時限設定手順通知手段８Ｄに通知する。この場合のＸ時限決定手段５Ｄの処理の流れは図３０に示す第４実施の形態の処理フローと同様である。Ｘ時限設定手順通知手段８Ｄは、第４実施の形態の作用と同様に、Ｘ時限を設定する手順を運用者に通知する。
【００９４】
図３４は、本発明の第５実施の形態を示す配電系統監視制御装置を具体的に適用する構成図である。
【００９５】
図において、記憶手段１Ｄに相当する記憶装置２１Ｄは計算機システムに実装されるメモリやディスク等の記憶装置により実現される。メンテナンス手段１０Ｄに相当するメンテナンスプログラム２８Ｄ、順送時間検出手段４Ｄに相当する順送時間検出プログラム２３Ｄ、Ｘ時限決定手段５Ｄに相当するＸ時限決定プログラム２４Ｄは計算機システム２００Ｄ上で動作するプログラムにより実現される。Ｘ時限設定手順通知手段８Ｄに相当するＭＭＩ装置２６Ｄは計算機システムに接続するＣＲＴ装置、プリンタ装置により実現される。
【００９６】
次に、系統例として図７を用いて第５実施の形態の作用を説明する。
【００９７】
まず、メンテナンスプログラム２８Ｄは、現場系統の情報（オンライン）とは別に、もう一式、同様の情報（開閉器の入切状態、Ｘ時限値や配電系統を構成する区間、開閉器の接続情報）をオフライン情報として記憶装置２１Ｄに保存する。この情報は図８に示す現場機器の状態と同様の構成であるが、配電系統の標準的な運用状態としてメンテナンスプログラム２８Ｄにて図３５に示す開閉器オンライン状態７６ように設定する。この図３５では、開閉器毎に標準入切状態と標準Ｘ時限を記憶している。
【００９８】
図７のような系統を仮想的に構築した場合、記憶装置２１Ｄには図１１乃至図１３に示すような情報が保存されている。順送時間検出プログラム２３Ｄは、図２の処理フローに基づき処理を行う。その結果、各区間の順送順序、順送時間として図１４に示すような情報を記憶装置２１Ｄに保存する。また、この例では順送順序が重複している区間（区間Ｋ４と区間Ｋ６）が存在するため、Ｘ時限決定プログラム２４Ｄに起動要求を行う。Ｘ時限決定プログラム２４Ｄは記憶装置２１Ｄに保存されている情報に基づき、図３０の処理フローに従い処理を行う。その結果、図１５に示すようにＸ時限が求められ、記憶装置２１Ｄに各開閉器のＸ時限と共にＸ時限設定手順を保存する。
【００９９】
また、Ｘ時限決定プログラム２４Ｄは、各開閉器に対するＸ時限設定手順情報の出力要求をＭＭＩ装置２６Ｄに対し行う。ＭＭＩ装置２６Ｄは、記憶装置２１Ｄに保存されているＸ時限設定手順に基づき、各開閉器毎に、Ｘ時限を設定するための手順一覧を図３２に示すように出力する。
【０１００】
図３６は、本発明の第６実施の形態を示す配電系統監視制御装置の構成図である。
【０１０１】
配電系統監視制御装置１００Ｅは、記憶手段１Ｅと遠方監視手段２Ｅと遠方制御手段３Ｅと順送時間検出手段４ＥとＸ時限決定手段５Ｅとから構成され、記憶手段１Ｅは、記憶手段１に記憶される各情報に加えて配電系統を構成する区間の復旧優先度情報を記憶させ、Ｘ時限決定手段５Ｅが復旧優先度情報を考慮した上で復旧優先度の高いものから順送するようにＸ時限設定手順情報を作成する。
【０１０２】
以上の構成で、Ｘ時限決定手段５Ｅによって第１実施の形態と同様に入力される情報に加え、記憶手段１Ｅに記憶されている各区間の復旧優先度を基に、復旧優先度の高い区間の順送順序が早くなるようにＸ時限の設定手順を求める。
【０１０３】
すなわち、図３７に示すＸ時限決定手段５Ｅの処理がされ、まず、当該配電系統から送電されている範囲の区間を取出す（全区間送電時間未決定とする）（Ｓ５１）。そして、区間毎に設定されている復旧優先度の高い順に区間を並べる（Ｓ５２）。次に、全ｎ区間の処理がｎ＝１から開始される（Ｓ５３）。
【０１０４】
まず、順送順序は未決定か否かの判定がされる（Ｓ５４）。この判定で未決定のとき当該配電系統の電源ＦＣＢから当該区間に向かって送電経路上の区間をリストアップする（Ｓ５５）。さらに、リストアップした区間の内順送順序が未決定の区間と各区間の電源開閉器をリストアップする（Ｓ５６）。続いて、上記リストアップした区間について電源側から順に順送順序を１づつ増加させながら割り振る（Ｓ５７）。そして、各区間に割り振った順送順序に従い各区間の電源側開閉器のＸ時限を順送順序が重複しないように設定する。このとき、設定するＸ時限は重複の発生しない最小の値を設定する（Ｓ５８）。
【０１０５】
以上の処理が全区間行われると、決定したＸ時限の内、現在の値と異なるものがあれば、そのような開閉器全てについて開閉器と共に設定したＸ時限を設定手段として記憶手段１Ｅに保存する（Ｓ５９）。これにより、Ｘ時限の設定手順の設定要求を遠方制御手段３Ｅに通知する（Ｓ６０）。
【０１０６】
図３８は、本発明の第６実施の形態の配電系統監視制御装置を具体的に適用する構成図である。
【０１０７】
本実施の形態は、計算機システム２００Ｅと、計算機システム２００Ｅと配電系統機器の間に入り機器状態等の情報の授受を行う遠方監視制御装置２２Ｅとから構成される。
【０１０８】
記憶手段１Ｅに相当する記憶装置２１Ｅは計算機システム２００Ｅに実装されるメモリやディスク等の記憶装置により実現されている。遠方監視手段２Ｅは、遠方制御手段３Ｅに相当する遠方監視制御装置２２Ｅは、計算機システム２００Ｅと伝送路により接続され、マイコン制御により、現場開閉器の監視制御を行う装置である。
【０１０９】
順送時間検出手段４Ｅに相当する順送時間検出プログラム２３Ｅ、Ｘ時限決定手段５Ｅに相当するＸ時限決定プログラム２４は計算機システム２００Ｅ上で動作するプログラムにより実現される。
【０１１０】
以上の構成で、系統例として図７を用いて本実施の形態の作用を説明する。
【０１１１】
まず、遠方監視制御装置２２Ｅは現場開閉器の状態として入切状態、Ｘ時限値を図８に示すようなデータ構造で記憶装置２１Ｅに保存する。また、記憶装置２１Ｅには、図９に示すようなデータ構造で配電系統を構成する区間、開閉器の接続情報を保存すると共に、図３９（Ａ）のように区間毎の復旧優先度７７を保存している。図７のような系統の場合、記憶装置２１Ｅには図９及び図１０、図３９（Ｂ）のような区間復旧優先度７８が保存されている。図３９（Ｂ）の場合、区間Ｋ３、区間Ｋ５、区間Ｋ６の優先度となっている。
【０１１２】
順送時間検出プログラム２３Ｅは、図２の処理フローに基づき処理を行う。その結果、各区間の順送順序、順送時間として図１４に示すような情報が記憶装置２１Ｅに保存される。
【０１１３】
この例によれば、順送順序が重複している区間が存在するため、Ｘ時限決定プログラム２４Ｅに起動要求が行われる。Ｘ時限決定プログラム２４Ｅは記憶装置２１Ｅに保存きれている情報に基づき、図３７の処理フローに従い処理を行う。その結果、図４０に示す区間毎の送電順序と順送時間７９が求められ、図４１に示すようにＸ時限８０が求められ、記憶装置２１Ｅに各開閉器のＸ時限と共にＸ時限設定手順が保存される。
【０１１４】
このように第６実施の形態によれば、予め記憶手段に区間の予め復旧優先度情報が記憶され、この情報に従った順送順序となるようにＸ時限が求められる。これによって現場の実情に即したものとなり、Ｘ時限設定に関する不都合が解消され、信頼性の向上が図られる。
【０１１５】
図４２は、本発明の第７実施の形態を示す配電系統監視制御装置の構成図であって、配電系統監視制御装置１００Ｆは、記憶手段１Ｆと遠方監視手段２Ｆと遠方制御手段３Ｆと順送時間検出手段４ＦとＸ時限決定手段５Ｆと順送順序入力手段１１Ｆとから構成され、順送順序入力手段１１Ｆを有する点に特徴を有している。
【０１１６】
ここで、順送順序入力手段１１Ｆは、運用者が配電系統を構成する各区間の順送順序の全てまたは一部を指定して入力し記憶手段へ記憶させる。
【０１１７】
まず、順送順序入力手段１１Ｆによって、運用者からの要求に基づき、当該区間り順送順序を受け付け、その順送順序を記憶手段１Ｆに保存する。Ｘ時限決定手段５Ｆは、記憶手段１Ｆに保存されている順送順序に基づき、順送順序の高い区間が順送順序の低い区間より先に順送されるようにＸ時限設定を求め記憶手段１Ｆに保存させる。
【０１１８】
具体的には、Ｘ時限決定手段５Ｆは、図４３に示す処理を行い、全区間順送順序未決定として、当該配電系統にて送電している範囲の区間を取出す（Ｓ６１）。そして、順送順序入力手段１１Ｆにて入力された各区間の順送順序を記憶手段１Ｆより取出し、設定された順送順序順に区間を並べる。このとき順送順序が設定されていない区間があれば、最も後に順送するものとする。（順送順序が同じものは任意の順）（Ｓ６２）。
【０１１９】
次に、ｎ＝１として順送順序は未決定か否かの判定がされる（Ｓ６３，Ｓ６４）。この判定で未決定のとき当該配電系統の電源ＦＣＢから当該区間に向かって送電経路上の区間をリストアップする（Ｓ６５）。さらに、リストアップした区間の内で、順送順序が未決定（順送順序入力手段１１Ｆにて設定した順送順序ではなくＸ時限決定手段５Ｆが１から順に割り振り順送順序が未決定）の区間と各区間の電源側開閉器をリストアップする（Ｓ６６）。続いて、上記リストアップした区間について電源側から順に順送順序を１づつ増加させながら割り振る（Ｓ６７）。
【０１２０】
次に、各区間に割り振った順送順序に従い各区間の電源側開閉器のＸ時限を順送順序が重複しないように設定する。その際、設定するＸ時限は重複の発生しない値の中で最小の値を設定する（Ｓ６８）。以上の処理が繰り返され、決定したＸ時限の内、現在の値と異なるものがあれば、そのような開閉器全てについて開閉器と共に設定したＸ時限を設定手段として記憶手段１Ｆに保存する（Ｓ６９）。そして、Ｘ時限の設定手順の設定要求を遠方制御手段３Ｆに通知する（Ｓ７０）。
【０１２１】
図４４は、本発明の第７実施の形態の配電系統監視制御装置を具体的に適用する構成図である。
【０１２２】
本実施の形態は、計算機システム２００Ｆと、計算機システム２００Ｆと配電系統機器の間に入り機器状態等の情報の授受を行う遠方監視制御装置２２Ｆとから構成される。
【０１２３】
記憶手段１Ｆに相当する記憶装置２１Ｆは計算機システム２００Ｆに実装されるメモリやディスク等の記憶装置により実現されている。遠方監視手段２Ｆは、遠方制御手段３Ｆに相当する遠方監視制御装置２２Ｆは、計算機システム２００Ｆと伝送路により接続され、マイコン制御により、現場開閉器の監視制御を行う装置である。
【０１２４】
順送時間検出手段４Ｆに相当する順送時間検出プログラム２３Ｆ、Ｘ時限決定手段５Ｆに相当するＸ時限決定プログラム２４Ｆは計算機システム２００Ｆ上で動作するプログラムにより実現される。順送順序入力手段１１Ｆに相当する入力装置２７Ｆは計算機システム２００Ｆに接続するマウス、キーボード等の入力デバイスにより実現される。
【０１２５】
以上の構成で、系統例として図７を用いて第６実施の形態の作用を説明する。
【０１２６】
まず、遠方監視制御装置２２Ｆは現場開閉器の状態として入切状態、Ｘ時限値を図８に示すようなデータ構造で記憶装置２１Ｆに保存する。また、記憶装置２１Ｆには、図９及び図１０に示すようなデータ構造で配電系統を構成する区間、開閉器の接続情報を保存している。図７のような系統の場合、記憶装置２１Ｆには図１１及び図１３のような情報が保存されている。キーボード、マウスを用いて、運用者は各区間に対する順送順序を入力する。ここでは図４５に示すような順送順序制約８１が設定されたとする。この情報は記憶装置２１Ｆに保存される。
【０１２７】
順送時間検出プログラム２３Ｆは、図２の処理フローに基づき処理を行う。その結果、各区間の順送順序、順送時間として図１４に示すような情報が記憶装置２１Ｆに保存される。
【０１２８】
この例によれば、順送順序が重複している区間が存在するため、入力装置２７Ｆより指示された順送順序に反している区間が存在する。従って、Ｘ時限決定プログラム２４Ｆに起動要求を行う。Ｘ時限決定プログラム２４Ｆは記憶装置２１Ｆに保存きれている情報に基づき、図４３の処理フローに従い処理を行う。その結果、図４６に示すようにＸ時限８２，８３が求められ、記憶装置２１Ｆに各開閉器のＸ時限と共にＸ時限設定手順が保存される。
【０１２９】
このように第７実施の形態によれば、運用者の区間内の順送順序の指定が考慮されて、Ｘ時限が設定されるので、運用者の意図する順送順序が反映される。従って、配電系統の的確な運用が図られる。
【０１３０】
図４７は、本発明の第８実施の形態を示す配電系統監視制御装置の構成図である。
【０１３１】
配電系統監視制御装置１００Ｇは、記憶手段１Ｇと遠方監視手段２Ｇと遠方制御手段３Ｇと順送時間検出手段４ＧとＸ時限決定手段５Ｇとから構成され、記憶手段１Ｇに記憶されている各情報に加えて各配電線毎に決められた再閉路時限を再閉路時限情報として記憶し、Ｘ時限決定手段５Ｇによって順送順序時間情報と再閉路時限情報とに基づいて、配電線の再閉路時限内に納まるようにＸ時限の値を設定する点に特徴を有している。
【０１３２】
以上の構成で、順送時間検出手段４Ｇによって、第１実施の形態と同様の手順により、各区間の送電時間を求めた結果、各区間の時間が、記憶手段１Ｇに保存されている当該配電系統のＦＣＢの再閉路時間を越えている場合には、その旨がＸ時限決定手段５Ｇに通知される。Ｘ時限決定手段５Ｇは、各区間開閉器への送電時間が再閉路時間以内に収まるように、Ｘ時限を決定する。
【０１３３】
具体的には、図４８に示すＸ時限決定手段５Ｇの処理のように、まず、再閉路時間＞０として、順送時間が再閉路時間を越えている区間があるか否かの判定がされる（Ｓ７１）。この判定でＹｅｓのとき当該配電系統の電源ＦＣＢから当該区間までの送電経路の開閉器をリストアップし、Ｘ時限の小さい順に並べる（Ｓ７２）。そして、ｎ＝１、リストアップ開閉器数の処理がされ、当該開閉器のＸ時限を０秒とする（Ｓ７３，Ｓ７４）。
【０１３４】
次に、当該区間の送電時間はまだ再閉路時間を越えているか否かの判定が行われ、Ｙｅｓのとき上記ステップにて、他の経路の区間と順送順序が重複する可能性があるので、その場合は第１実施の形態のＸ時限決定手段５Ｇと同様の方法でＸ時限を再設定する。但し、このとき、上記ステップにて着目した経路上の開閉器のＸ時限は固定とする（Ｓ７５，Ｓ７６）。ステップＳ７１でＮｏのとき決定したＸ時限の内、現在の値と異なるものがあれば、そのような開閉器の全てについて、開閉器と共に、設定したＸ時限を設定手順として記憶手段１Ｇに保存する（Ｓ７７）。さらに、Ｘ時限の設定手順の設定要求を遠方制御手段３Ｇに通知する（Ｓ７８）。
【０１３５】
図４９は、本発明の第８実施の形態の配電系統監視制御装置を具体的に適用する構成図である。
【０１３６】
本実施の形態は、計算機システム２００Ｇと、計算機システム２００Ｇと配電系統機器の間に入り機器状態等の情報の授受を行う遠方監視制御装置２２Ｇとから構成される。
【０１３７】
記憶手段１Ｇに相当する記憶装置２１Ｇは計算機システム２００Ｇに実装されるメモリやディスク等の記憶装置により実現されている。遠方監視手段２Ｇは、遠方制御手段３Ｇに相当する遠方監視制御装置２２Ｇは、計算機システム２００Ｇと伝送路により接続され、マイコン制御により、現場開閉器の監視制御を行う装置である。
【０１３８】
順送時間検出手段４Ｇに相当する順送時間検出プログラム２３Ｇ、Ｘ時限決定手段５Ｇに相当するＸ時限決定プログラム２４Ｇは計算機システム２００Ｇ上で動作するプログラムにより実現される。
【０１３９】
以上の構成で、系統例として図５０を用いて第８実施の形態の作用を説明する。
【０１４０】
まず、遠方監視制御装置２２Ｇは現場開閉器の状態として入切状態、Ｘ時限値を図８に示すようなデータ構造で記憶装置２１Ｇに保存する。また、記憶装置２１Ｇには、図９及び図１０に示すようなデータ構造で配電系統を構成する区間、開閉器の接続情報を加え、図５０に示す系統例４６に対応して各配電系統の毎に図５１で示すように再閉路時間８４を保存している。図７のような系統の場合、記憶装置２１Ｇには図５２及び図５３のように配電線接続区間８５と開閉器接続区間８６と区間接続開閉器８７とが保存されている。また、配電線Ｆ１の再閉路時限は３５秒に設定されている。
【０１４１】
順送時間検出プログラム２３Ｇは、図２の処理フローに基づき処理を行う。その結果、各区間の順送順序、順送時間として図５４に示すように各区間の送電順序８８が記憶装置２１Ｇに保存される。
【０１４２】
この例では、送電時間が再閉路時間を超えている区間が存在するため、Ｘ時限決定手段５Ｇに起動要求を行う。順送順序が重複している区間が存在するため、Ｘ時限決定プログラム２４Ｇに起動要求を行う。Ｘ時限決定プログラム２４Ｇは記憶装置２１Ｇに保存きれている情報に基づき、図４８の処理フローに従い処理を行う。その結果、図５５に示すようにＸ時限８９，９０が求められ、記憶装置２１Ｇに各開閉器のＸ時限と共にＸ時限設定手順が保存される。
【０１４３】
図５６は、本発明の第９実施の形態を示す配電系統監視制御装置の構成図である。
【０１４４】
配電系統監視制御装置１００Ｈは、記憶手段１Ｈと遠方監視手段２Ｈと遠方制御手段３Ｈと順送時間検出手段４ＨとＸ時限決定手段５ＨとＸ時限設定活殺手段１２Ｈとから構成され、送電順序の重複の検出やＸ時限の設定手順等の設定の可否を設定可否情報として記憶手段１Ｈへ記憶させるＸ時限設定活殺手段１２Ｈを有し、記憶手段１Ｈに記憶される設定可否情報を算出して順送時間検出手段４Ｈ、Ｘ時限決定手段５Ｈ、遠方制御手段３Ｈの各手段の処理を実行することを特徴とする。
【０１４５】
以上の構成で、Ｘ時限設定活殺手段１２Ｈによって、Ｘ時限の重複の検出を行うか否か、また、Ｘ時限が重複していた場合にＸ時限の設定手順の作成を行うか否か、また、それらの手順を作成した場合に自動的に設定を行うか否かを運用者が入力する。これが実行可否情報として、記憶手段１Ｈに保存される。順送時間検出手段４Ｈは、処理開始にあたり、記憶手段１Ｈに保存されている実行可否情報に基づき、検出を行うか否かを決定する。同様に、Ｘ時限決定手段５Ｈ、遠方監視手段２Ｈも各々が処理を実施すべきか否かを当該情報を参照して決定する。
【０１４６】
図５７は、本発明の第９実施の形態の配電系統監視制御装置を具体的に適用する構成図である。
【０１４７】
本実施の形態は、計算機システム２００Ｈと、計算機システム２００Ｈと配電系統機器の間に入り機器状態等の情報の授受を行う遠方監視制御装置２２Ｈとから構成される。
【０１４８】
記憶手段１Ｈに相当する記憶装置２１Ｈは計算機システム２００Ｈに実装されるメモリやディスク等の記憶装置により実現されている。遠方監視手段２Ｈ、遠方制御手段３Ｈに相当する遠方監視制御装置２２Ｈは、計算機システム２００Ｈと伝送路により接続され、マイコン制御により、現場開閉器の監視制御を行う装置である。
【０１４９】
順送時間検出手段４Ｈに相当する順送時間検出プログラム２３Ｈ、Ｘ時限決定手段５Ｈに相当するＸ時限決定プログラム２４Ｈは、計算機システム２００Ｈ上で動作するプログラムにより実現される。
【０１５０】
Ｘ時限設定活殺手段１２Ｈに相当する入力装置２７Ｈは、計算機システム２００Ｈに接続するマウス、キーボード、押し釦等の入力デバイスにより実現される。
【０１５１】
以上の構成で、系統例として図７を用いて第９実施の形態の作用を説明する。
【０１５２】
まず、遠方監視制御装置２２Ｈは現場開閉器の状態として入切状態、Ｘ時限値を図１８に示すようなデータ構造で記憶装置２１Ｈに保存する。また、記憶装置２１Ｈには、図９及び図１０に示すようなデータ構造で配電系統を構成する区間、開閉器の接続情報を保存している。図７のような系統の場合、記憶装置２１Ｈには図１１及び図１３のような情報が保存されている。マウスを用いて、運用者が各プログラムの活殺情報を設定する。設定した結果が記憶装置２１Ｈに図５８に示す、順送時間検出要否９１のように保存される。
【０１５３】
順送時間検出プログラム２３Ｈは、図５８の順送時間検出要否情報に基づき、要の場合のみ動作する。同様に、Ｘ時限決定プログラム２４Ｈは、Ｘ時限設定手順作成要否情報が要の場合のみＸ時限設定手順を作成し、Ｘ時限設定実施要否情報が要の場合のみ遠方監視制御装置２２Ｈに制御要求を出力する。
【０１５４】
このように第９実施の形態によれば、Ｘ時限の設定や順送順序の重複の検出の可否が設定可否情報として予め記憶され、この情報に従って処理がされる。これによって、無用にＸ時限等の設定がされるおそれが解消され、必要な時のみ設定でき、配電系統監視制御装置の信頼性を向上させることができる。
【０１５５】
【発明の効果】
以上説明したように請求項１の発明によれば、開閉器の状態情報と開閉器と区間の接続情報とから各開閉器の順送順序と順送時間とを順送順序時間情報として求め、各区間の順送順序が重複しないように各開閉器の投入時限を設定するので、投入時限の設定の誤り、送電状態の変更や、投入時限の設計ミス等の投入時限設定に関する各開閉器や区間の相互間に生ずる不都合が人手を介することなく解消でき、配電系統の信頼性を大幅に向上することができる。
【０１５６】
請求項２の発明によれば、順送方向情報に基づいて順送方向が逆向きの開閉器を判定して、正方向へ設定する処理をするので、人手を介することなく配電系統の不都合が解消でき、信頼性を向上させることができる。
【０１５７】
請求項３の発明によれば、各区間の順送順序と順送時間とが適宜、運用者へ通知されるので、書類や図面で知るのと異なり運用者が的確に状態を把握でき、適切な運用を図ることができる。
【０１５８】
請求項４の発明によれば、投入時限設定手順情報を運用者へ知らして、運用者が設定の可否を指定すると、投入時限設定手順情報を開閉器へ設定することができるので、投入時限設定に関する不都合が運用者の確認の上で解消でき、配電系統運用の信頼性を向上させることができる。
【０１５９】
請求項５の発明によれば、メンテナンス時に記憶手段に記憶される各情報を更新する一方、運用者へ知らさるので、開閉器の投入時限が変更されたり接続が変更されたりしたとき、即座に記憶手段の内容が最新の実情に沿ったものとなり、また、運用者は変更等を把握することができ、信頼性の向上が図れる。
【０１６０】
請求項６の発明によれば、予め復旧優先度情報を記憶して、この情報に従った順送順序となるように投入時限を求めすので、現場の実情に即したものとなり、投入時限設定に関する不都合が解消でき、信頼性の向上を図させることができる。
【０１６１】
請求項７の発明によれば、運用者による区間内の順送順序の指定が考慮されて、投入時限が設定されるので、運用者の意図する順送順序を反映でき、配電系統の的確な運用を図ることができる。
【０１６２】
請求項８の発明によれば、配電系統毎に決められた再閉路時限の情報と順送順序の情報とによって、再閉路時限に収まるように投入時限を設定するので、投入時限の設定に関する開閉器間の不都合が解消でき、信頼性を向上させることができる。
【０１６３】
請求項９の発明によれば、投入時限の設定や順送順序の重複の検出の可否の設定可否情報として予め記憶して、この情報に従って処理をするので、無用に投入時限等の設定がされるおそれを解消でき、必要な時のみ設定でき、配電系統監視制御装置の信頼性を向上させることができる。
【図面の簡単な説明】
【図１】本発明の第１実施の形態を示す配電系統監視制御装置の構成図である。
【図２】図１の順送時間検出手段の処理を示すフローチャートである。
【図３】図１の作用を示す系統例である。
【図４】図１の作用を示す区間の並び替え例の説明図である。
【図５】図１のＸ時限決定手段の処理を示すフローチャートである。
【図６】本発明の第１実施の形態を示す配電系統監視制御装置の具体的な構成図である。
【図７】図６の作用を示す系統例である。
【図８】図６の記憶装置に記憶される開閉器現在状態を示す説明図である。
【図９】図６の記憶装置に記憶される配電線接続区間を示す説明図である。
【図１０】図６の記憶装置に記憶される区間接続開閉器を示す説明図である。
【図１１】図７の系統例に対応する配電線接続区間を示す説明図である。
【図１２】図７の系統例に対応する開閉器接続区間を示す説明図である。
【図１３】図７の系統例に対応する区間接続開閉器を示す説明図である。
【図１４】図７の系統例によって得られる各区間の送電順序を示す説明図である。
【図１５】図７の系統例によって得られるＸ時限値とＸ時限設定手順を示す説明図である。
【図１６】本発明の第２実施の形態を示す配電系統監視制御装置の構成図である。
【図１７】図１６の順送時間検出手段の処理を示すフローチャートである。
【図１８】図１６の配電系統監視制御装置の具体的な構成図である。
【図１９】図１８の配電系統監視制御装置に適用する系統例である。
【図２０】図１８の記憶装置に記憶される開閉器の順送方向を示す説明図である。
【図２１】図１８の記憶装置に記憶される順送方向の設定可否情報を示す説明図である。
【図２２】図７に対応する記憶装置に記憶される現場順送方向を示す説明図である。
【図２３】図７に対応する記憶装置に記憶される順送方向の設定可否情報を示す説明図である。
【図２４】図１８の配電系統監視制御装置により得られた順送方向決定手順を示す説明図である。
【図２５】本発明の第３実施の形態を示す配電系統監視制御装置の構成図である。
【図２６】図２５の順送時間検出手段の処理を示すフローチャートである。
【図２７】図２５の配電系統監視制御装置の具体的な構成図である。
【図２８】図２７の配電系統監視制御装置による出力結果例である。
【図２９】本発明の第４実施の形態を示す配電系統監視制御装置の構成図である。
【図３０】図２９のＸ時限決定手段の処理手順を示すフローチャートである。
【図３１】図２９の配電系統監視制御装置の具体的な構成図である。
【図３２】図３１の配電系統監視制御装置による出力結果例である。
【図３３】本発明の第５実施の形態を示す配電系統監視制御装置の構成図である。
【図３４】図３３の配電系統監視制御装置の具体的な構成図である。
【図３５】図３４の記憶装置に記憶されるオフライン情報を示す説明図である。
【図３６】本発明の第６実施の形態を示す配電系統監視制御装置の構成図である。
【図３７】図３６のＸ時限決定手段の処理手順を示すフローチャートである。
【図３８】図３６の配電系統監視制御装置の具体的な構成図である。
【図３９】図３８の記憶装置に記憶される復旧優先度を示す説明図である。
【図４０】図３８の配電系統監視制御装置により得られたＸ時限値を示す説明図である。
【図４１】図３８の配電系統監視制御装置により得られたＸ時限設定手順を示す説明図である。
【図４２】本発明の第７実施の形態を示す配電系統監視制御装置の構成図である。
【図４３】図４２のＸ時限決定手段の処理手順を示すフローチャートである。
【図４４】図４２の配電系統監視制御装置の具体的な構成図である。
【図４５】図４４の記憶装置に記憶される各区間の順送順序を示す説明図である。
【図４６】図４４の配電系統監視制御装置により得られたＸ時限値とＸ時限設定手順を示す説明図である。
【図４７】本発明の第８実施の形態を示す配電系統監視制御装置の構成図である。
【図４８】図４７のＸ時限決定手段の処理を示すフローチャートである。
【図４９】図４７の配電系統監視制御装置の具体的な構成図である。
【図５０】図４９の配電系統監視制御装置に適用する系統例である。
【図５１】図４９の記憶装置に記憶される再閉路時限値を示す説明図である。
【図５２】図５０に対応する配電線接続区間と開閉器接続区間を示す説明図である。
【図５３】図５０に対応する区間接続開閉器を示す説明図である。
【図５４】図４７の配電系統監視制御装置により得られた順送方向を示す説明図である。
【図５５】図４７の配電系統監視制御装置により得られたＸ時限値設定手順を示す説明図である。
【図５６】本発明の第９実施の形態を示す配電系統監視制御装置の構成図である。
【図５７】図４６の配電系統監視制御装置の具体的な構成図である。
【図５８】図５６の記憶装置に記憶される順送時間検出要否情報を示す説明図である。
【図５９】従来例を説明するための系統例である。
【符号の説明】
１  記憶手段
２  遠方監視手段
３  遠方制御手段
４  順送時間検出手段
５  Ｘ時限決定手段
６  順送方向決定手段
７Ｂ  順送順序通知手段
８Ｄ  Ｘ時限設定手順通知手段
９  Ｘ時限設定指示手段
１０Ｄ  メンテナンス手段
１１Ｆ  順送順序入力手段
１２Ｈ  Ｘ時限設定活殺手段
２１  記憶装置
２２  遠方監視制御装置
２３  順送時間検出プログラム
２４  Ｘ時限決定プログラム
２５  順送方向決定プログラム
２６  ＭＭＩ装置
２７  入力装置
２８  メンテナンスプログラム
２００  計算機システム
【図１】
0003781542.tif 000002
【図２】
0003781542.tif 000003
【図３】
0003781542.tif 000004
【図４】
0003781542.tif 000005
【図５】
0003781542.tif 000006
【図６】
0003781542.tif 000007
【図７】
0003781542.tif 000008
【図８】
0003781542.tif 000009
【図９】
0003781542.tif 000010
【図１０】
0003781542.tif 000011
【図１１】
0003781542.tif 000012
【図１２】
0003781542.tif 000013
【図１３】
0003781542.tif 000014
【図１４】
0003781542.tif 000015
【図１５】
0003781542.tif 000016
【図１６】
0003781542.tif 000017
【図１７】
0003781542.tif 000018
【図１８】
0003781542.tif 000019
【図１９】
0003781542.tif 000020
【図２０】
0003781542.tif 000021
【図２１】
0003781542.tif 000022
【図２２】
0003781542.tif 000023
【図２３】
0003781542.tif 000024
【図２４】
0003781542.tif 000025
【図２５】
0003781542.tif 000026
【図２６】
0003781542.tif 000027
【図２７】
0003781542.tif 000028
【図２８】
0003781542.tif 000029
【図２９】
0003781542.tif 000030
【図３０】
0003781542.tif 000031
【図３１】
0003781542.tif 000032
【図３２】
0003781542.tif 000033
【図３３】
0003781542.tif 000034
【図３４】
0003781542.tif 000035
【図３５】
0003781542.tif 000036
【図３６】
0003781542.tif 000037
【図３７】
0003781542.tif 000038
【図３８】
0003781542.tif 000039
【図３９】
0003781542.tif 000040
【図４０】
0003781542.tif 000041
【図４１】
0003781542.tif 000042
【図４２】
0003781542.tif 000043
【図４３】
0003781542.tif 000044
【図４４】
0003781542.tif 000045
【図４５】
0003781542.tif 000046
【図４６】
0003781542.tif 000047
【図４７】
0003781542.tif 000048
【図４８】
0003781542.tif 000049
【図４９】
0003781542.tif 000050
【図５０】
0003781542.tif 000051
【図５１】
0003781542.tif 000052
【図５２】
0003781542.tif 000053
【図５３】
0003781542.tif 000054
【図５４】
0003781542.tif 000055
【図５５】
0003781542.tif 000056
【図５６】
0003781542.tif 000057
【図５７】
0003781542.tif 000058
【図５８】
0003781542.tif 000059
【図５９】
0003781542.tif 000060